(57)【要約】帯状に形成される緊締部は、大腿部の前側に対応する前側部分１ａにおいて、当該前側部分１ａの上方から下方にかけて斜めに形成される大腿部前側緊締部２ｂと、大腿部の後側に対応する後側部分において、当該後側部分の上方から下方にかけて斜めに形成される大腿部後側緊締部と、下腿部の前側に対応する前側部分１ｂにおいて、当該前側部分１ｂの上方から下方にかけて斜めに形成される下腿部前側緊締部２ｅ，２ｆとを有することにより、大腿部前側緊締部２ｂと大腿部後側緊締部とで大腿部を前後からサポートする。
2004091328.tif 000002
【特許請求の範囲】
【請求項１】
少なくとも下半身の一部を被覆する股付き衣類であって、
帯状に形成される緊締部は、大腿部の前側に対応する前側部分において、当該前側部分の上方から下方にかけて斜めに形成される大腿部前側緊締部と、大腿部の後側に対応する後側部分において、当該後側部分の上方から下方にかけて斜めに形成される大腿部後側緊締部とを少なくとも有することを特徴とする股付き衣類。
【請求項２】
前記大腿部前側緊締部と前記大腿部後側緊締部は、前側または後側のいずれか一方から見て、上下方向に対してそれぞれが反対の方向に傾いていることを特徴とする請求の範囲第１に記載の股付き衣類。
【請求項３】
前記大腿部前側緊締部と前記大腿部後側緊締部は、前側または後側のいずれか一方から見て、上下方向に対してそれぞれが同じ方向に傾いていることを特徴とする請求の範囲第１に記載の股付き衣類。
【請求項４】
前記大腿部前側緊締部と前記大腿部後側緊締部は、大腿部の内側と大腿部の外側のうち少なくともいずれか一方で連なっていることを特徴とする請求の範囲第３に記載の股付き衣類。
【請求項５】
前記緊締部の一部が、大転子に対応する部分に形成されることを特徴とする請求の範囲第１〜４のいずれか１に記載の股付き衣類。
【請求項６】
前記緊締部は、少なくとも前記大腿部前側緊締部と前記大腿部後側緊締部のいずれか一方の途中から、大腿部の内側下方または大腿部の外側下方にかけて斜めに形成される大腿下部緊締部をさらに備えることを特徴とする請求の範囲第１〜４のいずれか１に記載の股付き衣類。
【請求項７】
前記大腿下部緊締部の幅は、前記大腿部前側緊締部および前記大腿部後側緊締部の幅よりも細いことを特徴とする請求の範囲第６に記載の股付き衣類。
【請求項８】
前記大腿下部緊締部は、大腿部における前記大腿部前側緊締部と前記大腿部後側緊締部のうち少なくともいずれか一方の長手方向の中央付近から形成されることを特徴とする請求の範囲第６または７に記載の股付き衣類。
【請求項９】
前記大腿下部緊締部の一部が、膝の内側または膝の外側に対応する部分に形成されることを特徴とする請求の範囲第６〜８のいずれか１に記載の股付き衣類。
【請求項１０】
前記大腿下部緊締部は、前記大腿部前側緊締部または前記大腿部後側緊締部と、膝の内側または膝の外側に対応する部分に形成されている他の緊締部とを連結することを特徴とする請求の範囲第６〜８のいずれか１に記載の股付き衣類。
【請求項１１】
前記緊締部は、少なくとも前記大腿部前側緊締部と前記大腿部後側緊締部のいずれか一方の途中から、大腿部の内側上方または大腿部の外側上方にかけて斜めに形成される大腿上部緊締部をさらに備えることを特徴とする請求の範囲第１〜４のいずれか１に記載の股付き衣類。
【請求項１２】
前記大腿上部緊締部の幅は、前記大腿部前側緊締部および前記大腿部後側緊締部の幅よりも細いことを特徴とする請求の範囲第１１に記載の股付き衣類。
【請求項１３】
前記大腿上部緊締部は、大腿部における前記大腿部前側緊締部と前記大腿部後側緊締部のうち少なくともいずれか一方の長手方向の中央付近から形成されることを特徴とする請求の範囲第１１に記載の股付き衣類。
【請求項１４】
前記緊締部は、下腿部の前側に対応する前側部分において、当該前側部分の上方から下方にかけて斜めに形成される下腿部前側緊締部をさらに有することを特徴とする請求の範囲第１〜１３のいずれか１に記載の股付き衣類。
【請求項１５】
前記緊締部は、下腿部の後側に対応する後側部分において、当該後側部分の上方から下方にかけて斜めに形成される下腿部後側緊締部をさらに有することを特徴とする請求の範囲第１〜１４のいずれか１に記載の股付き衣類。
【請求項１６】
少なくとも下半身の一部を被覆する股付き衣類であって、
帯状に形成される緊締部は、下腿部の前側に対応する前側部分において、当該前側部分の上方から下方にかけて斜めに形成される下腿部前側緊締部と、下腿部の後側に対応する後側部分において、当該後側部分の上方から下方にかけて斜めに形成される下腿部後側緊締部とを少なくとも有することを特徴とする股付き衣類。
【請求項１７】
前記下腿部前側緊締部および前記下腿部後側緊締部は、前側または後側のいずれか一方から見て、上下方向に対してそれぞれが反対の方向に傾いていることを特徴とする請求の範囲第１６に記載の股付き衣類。
【請求項１８】
前記下腿部前側緊締部および前記下腿部後側緊締部は、前側または後側のいずれか一方から見て、上下方向に対してそれぞれが同じ方向に傾いていることを特徴とする請求の範囲第１６に記載の股付き衣類。
【請求項１９】
前記下腿部前側緊締部と前記下腿部後側緊締部は、下腿部の内側と下腿部の外側のうち少なくともいずれか一方で連なっていることを特徴とする請求の範囲第１８に記載の股付き衣類。
【請求項２０】
前記下腿部前側緊締部と前記下腿部後側緊締部は、下腿部の内側と下腿部の外側の両方で連なっていることを特徴とする請求の範囲第１８に記載の股付き衣類。
【請求項２１】
前記緊締部の一部が、膝の内側と膝の外側のうち少なくともいずれか一方に対応する部分に形成されることを特徴とする請求の範囲第１〜２０のいずれか１に記載の股付き衣類。
【請求項２２】
前記緊締部は、膝の内側に対応する部分および膝の外側に対応する部分から膝の下側に対応する部分にかけて形成される膝下緊締部をさらに有し、
前記膝下緊締部の上辺縁は、下腿部の下部方向に窪み状に形成されることを特徴とする請求の範囲第１〜２１のいずれか１に記載の股付き衣類。
【請求項２３】
前記緊締部は、前記膝下緊締部の下部から足首の内側と足首の外側のうち少なくともいずれか一方に対応する部分までさらに形成されることを特徴とする請求の範囲第２２に記載の股付き衣類。
【請求項２４】
膝の上側に対応する部分は、前記緊締部よりも緊締力の弱い弱緊締部により形成されていることを特徴とする請求の範囲第２３に記載の股付き衣類。
【請求項２５】
前記緊締部は、膝の内側に対応する部分および膝の外側に対応する部分から膝の上側に対応する部分にかけて形成される膝上緊締部をさらに有し、
前記膝上緊締部の下辺縁は、大腿部の上部方向に窪み状に形成されることを特徴とする請求の範囲第１〜２３のいずれか１に記載の股付き衣類。
【請求項２６】
膝上に対応する部分に形成される裾部を有し、
前記大腿部前側緊締部の下端と前記大腿部後側緊締部の下端のうち少なくともいずれか一方は、前記裾部に位置することを特徴とする請求の範囲第１に記載の股付き衣類。
【請求項２７】
前記緊締部は、腰部の左右両側部に対応する部分に形成される腰部緊締部と、腹部に対応する部分に形成される腹部緊締部とをさらに備え、
前記腹部緊締部は、左右にある前記腰部緊締部を連結することを特徴とする請求の範囲第１〜２６のいずれか１に記載の股付き衣類。
【請求項２８】
前記大腿部前側緊締部の上方と前記大腿部後側緊締部の上方とが腰部の側部に対応する部分において連結され、前記大腿部前側緊締部の下方と前記大腿部後側緊締部の下方とが大腿部の内側の下方に対応する部分において連結されることを特徴とする請求の範囲第２６に記載の股付き衣類。
【請求項２９】
前記大腿部前側緊締部は、大腿部の内側下方から、大腿部前面の上方を通り、大転子にかけて形成されるとともに、大腿部の上部方向に窪み状に湾曲して形成されることを特徴とする請求の範囲第１または２６に記載の股付き衣類。
【発明の詳細な説明】
【技術分野】
【０００１】  本発明は、股付き衣類に関し、特に、スポーツ用股付き衣類に適用されるものである。
【背景技術】
【０００２】  従来のスポーツ用股付き衣類には、脚部の筋肉の動きをサポートするために衣類の所定部分に緊締力の強いサポート部を設けるものがある。例えば、特開平１０−１１０３０６号公報には、太腿、膝およびふくらはぎを、サポート部で左右から挟み込むことにより筋肉の動きをサポートする股付き衣類が開示されている。このような股付き衣類を着用すると、サポート部により脚部の左右方向への動きが抑えられるため、脚部の前後方向への動きが安定する。さらに、股関節や膝関節の屈曲・伸展運動をサポートする効果がある。【０００３】  しかしながら、身体の動きには、屈曲・伸展運動の他にも、内旋・外旋運動、または内転・外転運動等があり、上述した特許文献１に開示された股付き衣類では、屈曲・伸展運動をサポートすることはできても、他の運動をサポートすることは困難である。
【発明の開示】
【０００４】  本発明は、脚部の運動をバランスよくサポートする股付き衣類を提供することを目的とする。
【０００５】  上記目的を達成するために、本発明の股付き衣類は、少なくとも下半身の一部を被覆する股付き衣類であって、帯状に形成される緊締部は、大腿部の前側に対応する前側部分において、当該前側部分の上方から下方にかけて斜めに形成される大腿部前側緊締部と、大腿部の後側に対応する後側部分において、当該後側部分の上方から下方にかけて斜めに形成される大腿部後側緊締部とを少なくとも有することを特徴とする。
【０００６】  着用者の大腿部が、緊締力の強い大腿部前側緊締部と大腿部後側緊締部とで挟まれるため、大腿部の前後にある筋肉をバランスよくサポートでき、脚部の内旋・外旋運動および内転・外転運動がしやすくなる。
【０００７】  本発明の股付き衣類において、大腿部前側緊締部と大腿部後側緊締部は、前側または後側のいずれか一方から見て、上下方向に対してそれぞれが反対の方向に傾いていることが好ましい。また、本発明の股付き衣類における大腿部前側緊締部と大腿部後側緊締部は、前側または後側のいずれか一方から見て、上下方向に対してそれぞれが同じ方向に傾いていてもよく、この場合には、大腿部前側緊締部と大腿部後側緊締部が、大腿部の内側と大腿部の外側のうち少なくともいずれか一方で連なっていることが好ましく、さらに、大腿部内側と大腿部外側の両方で連なっていることがより好ましい。ここで、上記内側とは大腿部の内側の上方または下方をいい、上記外側とは大腿部の外側の上方または下方をいい、上記両方で連なるとは、大腿部内側上方と大腿部外側下方、または大腿部内側下方と大腿部外側上方で連なることをいう（以下、同様）。なお、本発明の股付き衣類における緊締部の一部が、大転子に対応する部分に形成されることが好ましい。
【０００８】  本発明の股付き衣類において、上記緊締部は、少なくとも大腿部前側緊締部と大腿部後側緊締部のいずれか一方の途中から、大腿部の内側下方または大腿部の外側下方にかけて斜めに形成される大腿下部緊締部をさらに備えることが好ましい。これにより、大腿部前側緊締部と大腿部後側緊締部のいずれか一方または両方にテンションをかけることができるため、大腿部前側緊締部および大腿部後側緊締部によるサポート効果を向上させることができる。また、この場合において、大腿下部緊締部の一部が膝の内側または膝の外側に対応する部分に形成されるか、大腿下部緊締部が大腿部前側緊締部または大腿部後側緊締部と膝の内側または膝の外側に対応する部分に形成されている他の緊締部とを連結することが好ましい。これにより、膝のサポート効果を向上させることができる。さらに、この場合における大腿下部緊締部は、大腿部における大腿部前側緊締部と大腿部後側緊締部のうち少なくともいずれか一方の長手方向の中央付近から形成されることが好ましい。これにより、各緊締部同士にテンションがよりかかりやすくなる。
【０００９】  本発明の股付き衣類において、上記緊締部は、少なくとも大腿部前側緊締部と大腿部後側緊締部のいずれか一方の途中から、大腿部の内側上方または大腿部の外側上方にかけて斜めに形成される大腿上部緊締部をさらに備えることが好ましい。これにより、大腿部前側緊締部と大腿部後側緊締部のいずれか一方または両方にテンションをかけることができるため、大腿部前側緊締部および大腿部後側緊締部によるサポート効果を向上させることができる。また、この場合における大腿上部緊締部は、大腿部における大腿部前側緊締部と大腿部後側緊締部のうち少なくともいずれか一方の長手方向の中央付近から形成されることが好ましい。これにより、各緊締部同士にテンションがよりかかりやすくなる。
【００１０】  また、本発明の股付き衣類は、少なくとも下半身の一部を被覆する股付き衣類であって、帯状に形成される緊締部は、下腿部の前側に対応する前側部分において、当該前側部分の上方から下方にかけて斜めに形成される下腿部前側緊締部と、下腿部の後側に対応する後側部分において、当該後側部分の上方から下方にかけて斜めに形成される下腿部後側緊締部とを少なくとも有することを特徴とする。
【００１１】  着用者の下腿部が、緊締力の強い下腿部前側緊締部と下腿部後側緊締部とで挟まれるため、下腿部の前後にある筋肉をバランスよくサポートでき、脚部の内旋・外旋運動および内転・外転運動がしやすくなる。
【００１２】  本発明の股付き衣類における下腿部前側緊締部および下腿部後側緊締部は、前側または後側のいずれか一方から見て、上下方向に対してそれぞれが反対の方向に傾いていることが好ましい。また、本発明の股付き衣類における下腿部前側緊締部および下腿部後側緊締部は、前側または後側のいずれか一方から見て、上下方向に対してそれぞれが同じ方向に傾いていてもよく、この場合には、下腿部前側緊締部と下腿部後側緊締部が、下腿部の内側と下腿部の外側のうち少なくともいずれか一方で連なっていることが好ましく、さらに、下腿部内側と下腿部外側の両方で連なっていることがより好ましい。これにより、各緊締部同士にテンションがよりかかりやすくなる。
【００１３】  本発明の股付き衣類は、緊締部の一部が、膝の内側と膝の外側のうち少なくともいずれか一方に対応する部分に形成されることが好ましい。このようにすれば、膝の内側と膝の外側のうち少なくともいずれか一方が緊締部の一部によってサポートされるため、膝の左右方向への動きが抑えられ、脚部の前後方向への動きが安定する。それゆえ、膝関節の屈曲・伸展運動がしやすくなる。ここで、膝の上側、膝の下側、膝の内側、膝の外側が示す範囲は、膝関節内における位置、または膝蓋骨の外周から数ｃｍ以内の位置をいい、緊締部によって直接膝関節を安定させる程度に、近い位置をいう（以下、同様）。したがって、緊締部の少なくとも一部が、この位置に当接するように形成されればよい。
【００１４】  本発明の股付き衣類における緊締部は、膝の内側に対応する部分および膝の外側に対応する部分から膝の下側に対応する部分にかけて形成される膝下緊締部をさらに有し、膝下緊締部の上辺縁は、下腿部の下部方向に窪み状に形成されることが好ましい。このようにすれば、着用者の膝の内側、外側および下側が、緊締力の強い膝下緊締部によりしっかりとサポートされるため、膝を安定させることができ、膝の無駄な動きが抑えられる。また、膝上または膝下に緊締部が当接しないことにより、膝の自由度を確保することができる。
【００１５】  本発明の股付き衣類における緊締部は、膝の内側に対応する部分および膝の外側に対応する部分から膝の上側に対応する部分にかけて形成される膝上緊締部をさらに有し、膝上緊締部の下辺縁は、大腿部の上部方向に窪み状に形成されることが好ましい。これにより膝の安定性が向上する。
【００１６】  本発明の股付き衣類における緊締部は、腰部の左右両側部に対応する部分に形成される腰部緊締部と、腹部に対応する部分に形成される腹部緊締部とをさらに備え、腹部緊締部は、左右にある腰部緊締部を連結することが好ましい。これにより、腰部の左右両側部に当接する腰部緊締部を、身体中心方向に引っ張ることができ、股関節および骨盤を安定させることができる。
【００１７】  本発明の股付き衣類における大腿部前側緊締部は、大腿部の内側下方から、大腿部前面の上方を通り、大転子にかけて形成されるとともに、大腿部の上部方向に窪み状に湾曲して形成されることが好ましい。これにより、大腿前面の筋肉収縮をサポートすることができる。
【００１８】  本発明の股付き衣類において、膝上に対応する部分に形成される裾部を有し、大腿部前側緊締部の下端と大腿部後側緊締部の下端のうち少なくともいずれか一方は、裾部に位置することが好ましく、さらに、大腿部前側緊締部の上方と大腿部後側緊締部の上方とが腰部の側部に対応する部分において連結され、大腿部前側緊締部の下方と大腿部後側緊締部の下方とが大腿部の内側の下方に対応する部分において連結されることが好ましい。このように連結することで、大腿部前側緊締部と大腿部後側緊締部には互いにテンションがかかり、大腿部の筋肉へのサポート効果が増すとともに、股関節をサポートすることができる。
【図面の簡単な説明】
【００１９】  図１は、人体下肢部を前側から見たときの筋肉および骨格を表した正面図である。【００２０】  図２は、人体下肢部を後側から見たときの筋肉および骨格を表した正面図である。【００２１】  図３は、スポーツ用スパッツを正面から見た図である。【００２２】  図４は、スポーツ用スパッツを背面から見た図である。【００２３】  図５は、スポーツ用スパッツを正面から見た図である。【００２４】  図６は、スポーツ用スパッツを背面から見た図である。【００２５】  図７は、スポーツ用スパッツを背面から見た図である。【００２６】  図８は、スポーツ用スパッツを正面から見た図である。【００２７】  図９Ａは、スポーツ用スパッツを正面から見た図であり、図９Ｂは、スポーツ用スパッツを背面から見た図である。【００２８】  図１０Ａは、スポーツ用スパッツを正面から見た図であり、図１０Ｂは、スポーツ用スパッツを背面から見た図である。【００２９】  図１１Ａは、スポーツ用スパッツを正面から見た図であり、図１１Ｂは、スポーツ用スパッツを背面から見た図である。【００３０】  図１２Ａは、スポーツ用スパッツを正面から見た図であり、図１２Ｂは、スポーツ用スパッツを背面から見た図である。【００３１】  図１３は、スポーツ用スパッツを正面から見た図である。【００３２】  図１４は、スポーツ用スパッツを正面から見た図である。【００３３】  図１５は、スポーツ用スパッツを正面から見た図である。【００３４】  図１６は、スポーツ用スパッツを正面から見た図である。【００３５】  図１７Ａは、膝上丈のスポーツ用スパッツを正面から見た図であり、図１７Ｂは、膝上丈のスポーツ用スパッツを背面から見た図である。【００３６】  図１８Ａは、膝上丈のスポーツ用スパッツを正面から見た図であり、図１８Ｂは、膝上丈のスポーツ用スパッツを背面から見た図である。【００３７】  図１９Ａは、膝上丈のスポーツ用スパッツを正面から見た図であり、図１９Ｂは、膝上丈のスポーツ用スパッツを背面から見た図である。【００３８】  図２０Ａは、膝上丈のスポーツ用スパッツを正面から見た図であり、図２０Ｂは、膝上丈のスポーツ用スパッツを背面から見た図である。【００３９】  図２１Ａは、膝上丈のスポーツ用スパッツを正面から見た図であり、図２１Ｂは、膝上丈のスポーツ用スパッツを背面から見た図である。
【発明を実施するための最良の形態】
【００４０】  以下、本発明の実施形態を図面に基づき説明する。なお、同一要素には同一符号を付し、重複する説明を省略する。【００４１】  まず、実施形態の説明に先立ち、図１および図２を参照し、本発明の機能を説明する際に用いる筋肉や骨格の配置について説明する。図１は、人体下肢部を前側から見たときの筋肉および骨格を表す図であり、図２は、人体下肢部を後側から見たときの筋肉および骨格を表す図である。図１に示すように、大腿部の前側には、長内転筋１０２、恥骨筋１０３および縫工筋１０４が配置され、下腿部の前側には、長腓骨筋１０８、前脛骨筋１０９、長指伸筋１１０、腓腹筋１１１およびヒラメ筋１１２が配置されている。また、図２に示すように、大腿部の後側には、大内転筋１０１、半腱様筋１０５、大腿二頭筋１０６および半膜様筋１０７が配置され、下腿部の後側には、腓腹筋１１１およびヒラメ筋１１２が配置されている。また、図１および図２には大転子１１３が示されている。なお、これらは代表的な筋肉や骨格を示したものであり、本発明においてサポートする筋肉や骨格を、これらに限定するものではない。【００４２】  次に、図３および図４を参照して、本実施形態におけるスポーツ用スパッツ（スポーツ用股付き衣類）について説明する。図３は、スポーツ用スパッツ１の正面図であり、図４は、スポーツ用スパッツ１の背面図である。【００４３】  図示のように、スポーツ用スパッツ１は、腰部から下腿部までを被覆するスパッツであり、帯状に形成された緊締部２を有する。このスポーツ用スパッツ１の本体および緊締部２は、伸縮性を有する素材により構成されている。伸縮性を有する素材としては、例えば、パワーネット、サテンネット、トリコネット、ツーウェイトリコットまたはツーウェイラッセルがある。本体および緊締部２における素材について、具体例を挙げて説明すると、例えば、本体布にはツーウェイトリコット（５６ｄｔｅｘのポリエステル糸混率８２％、５５ｄｔｅｘのポリウレタン糸混率１８％）を使用し、緊締部には、パワーネット（５５ｄｔｅｘのナイロン糸混率８２％、３１０ｄｔｅｘのポリウレタン糸混率１８％）を使用する。このように、緊締部２は、スポーツ用スパッツ１の本体部分と同様に伸縮性を有する素材により構成されるが、生地の緊締力は、緊締部２の方が強い点に本発明の特徴がある。なお、本体布の素材は、二方向に伸びを有するものが好ましい。【００４４】  緊締部の幅は、形成される部位や衣類のサイズによって異なるため、一概に数値で規定することは困難ではあるが、一般的には平均して２ｃｍ以上に形成することが好ましく、より好ましくは平均して３ｃｍ以上に形成することが好ましい。また、特に重点的にサポートする部位に対応する緊締部の幅は５ｃｍ以上に形成することが好ましい。具体的に説明すると、例えば、ふくらはぎに当接する緊締部の幅は２〜６ｃｍ程度にし、内膝や外膝に当接する緊締部の幅は３ｃｍ以上（より好ましくは５〜１０ｃｍ程度）にすることが好ましい。また、大腿に当接する緊締部の幅は３〜８ｃｍ程度にし、大転子および腰部に当接する緊締部の幅は４ｃｍ以上（場合により８〜１５ｃｍ程度）にすることが好ましい。さらに、部分的に２０ｃｍ程度の��幅部分を形成することとしてもよい。なお、これらの数値は日本人男性のＭサイズを基準とした場合の一例である（以下、同様）。また、上述した緊締部の幅に関しては、以下に説明する他の実施例においても同様である。【００４５】  なお、緊締部２は、連続した布で形成してもよいが、複数の布で形成してもよい。また、緊締部２の形成方法としては、二方向への伸びを有する本体布の外側に緊締力の強い布を重ねることが好ましいが、本体布の内側に重ねてもよい。また、これらの緊締部２の形成方法に関しては、以下に説明する他の実施例においても同様である。【００４６】  このような緊締部２は、例えば、大転子と膝の内側側面との間、大腿内側上方と膝の外側側面との間、または膝の側面とその逆側の足首側面との間をより短い距離で結ぶように形成すると、この緊締部２に当接する筋肉に対して、よりテンションがかかり易くなる。なお、例えば、上述した緊締部は、直線または直線に近い形状であれば、より短い距離で結ぶことができるが、必ずしも直線で形成される必要はなく、例えば、両点を支点にして、その最短ラインである直線を上側に膨らませた曲線に形成してもよく、下側に膨らませた曲線に形成してもよい。また、上述した緊締部２をより短い距離で結ぶことに関しては、以下に説明する他の実施例においても同様である。【００４７】  図３に示すように、緊締部２は、大腿部の前側に対応する部分１ａに、大腿部前側緊締部２ｂを有し、下腿部の前側に対応する部分１ｂに、下腿部前側緊締部２ｅ，２ｆを有する。また、図４に示すように、緊締部２は、大腿部の後側に対応する部分１ｃに、大腿部後側緊締部２ｃ，２ｄを有する。以下、各緊締部の特徴について説明する。【００４８】  図３に示される大腿部前側緊締部２ｂは、大腿部の前側に対応する部分１ａにおいて、当該部分１ａの外側の上方から内側の下方にかけて斜めに形成されている。具体的に説明すると、大腿部前側緊締部２ｂの上部は、スパッツ１の大転子１１３に対応する部分に位置し、大腿部前側緊締部２ｂの下部は、膝関節の内側に対応する部分に位置する。大腿部前側緊締部２ｂは、上部の大転子１１３に対応する部分と、下部の膝関節の内側対応する部分にかけて、ほぼ直線状に形成されて大腿前面に当接している。このように当接することにより、その上部と下部との間で大腿部の前面の筋肉が束ねられる。なお、大腿部前側緊締部２ｂは、大腿部前面において、大腿部の内側下方から外側上方、好ましくは内膝から大転子に至る部分に当接されていれば、直線形状であっても、若干上下に湾曲した形状であってもよい。また、大腿部前側緊締部２ｂの大転子１１３から上の部分は、大転子１１３から腰の側部に沿って上方向に延びて形成されている。【００４９】  図３に示される下腿部前側緊締部２ｅは、下腿部の前側に対応する部分１ｂにおいて、当該部分１ｂの内側の上方から外側の下方にかけて斜めに形成されている。具体的に説明すると、下腿部前側緊締部２ｅの上部は、膝関節の内側に対応する部分に位置し、下腿部前側緊締部２ｅの下部は、足首の外側に対応する裾部分に位置する。下腿部前側緊締部２ｅは、その上部と下部との間で、長腓骨筋１０８をサポートし得るように形成される。���のような下腿部前側緊締部２ｅを設けることにより、長腓骨筋１０８の動きがサポートされる。なお、下腿部前側緊締部２ｅの上部は、必ずしも膝関節の内側に対応する部分に位置する必要はなく、少なくとも下腿部の前側表面上における中心付近よりも内側（股側）かつ上側に達していればよい。また、下腿部前側緊締部２ｅの上部と下部との間に形成される帯状部分の下部は、必ずしも下腿部の前側にのみ形成されている必要はなく、緊締部の大部分が下腿部の前側にあるならば、下腿部の後側に対応する部分１ｄにまで、その一部が連続して形成されてもよい（図４参照）。【００５０】  図３に示される下腿部前側緊締部２ｆは、下腿部の前側に対応する部分１ｂにおいて、当該部分１ｂの外側の上方から内側の下方にかけて斜めに形成されている。具体的に説明すると、下腿部前側緊締部２ｆの上部は、膝関節の外側に対応する部分に位置し、下腿部前側緊締部２ｆの下部は、足首の内側に対応する裾部分に位置する。下腿部前側緊締部２ｆは、その上部と下部との間で、前脛骨筋１０９、長母指伸筋（不図示）、長指伸筋１１０および長腓骨筋１０８をサポートし得るように形成される。このような下腿部前側緊締部２ｆを設けることにより、前脛骨筋１０９、長母指伸筋、長指伸筋１１０および長腓骨筋１０８の動きがサポートされる。なお、下腿部前側緊締部２ｆの上部と下部との間に形成される帯状部分の下部は、必ずしも下腿部の前側にのみ形成されている必要はなく、下腿部の後側に対応する部分１ｄに、その一部が形成されてもよい（図４参照）。【００５１】  図３に示すように下腿部前側緊締部２ｅと下腿部前側緊締部２ｆは、膝の下側で交差し、上辺縁がＶ字状に形成されている。また、図３に示すように膝の周辺に対応する部分において、膝の内側部分には、大腿部前側緊締部２ｂおよび下腿部前側緊締部２ｅが形成され、膝の外側部分には、下腿部前側緊締部２ｆおよび大腿部後側緊締部２ｄ（図４参照）が形成されるが、膝の上方部分には、緊締部が形成されない。このように、膝を左右両側面および下方の三方向からサポートすることにより膝靭帯が的確にサポートされ、膝関節の屈伸・伸展運動がしやすくなる。また、膝の上方部分に緊締部を形成しないことで膝の運動追従性を確保することができる。【００５２】  また、膝の周辺に対応する部分に形成される各緊締部の幅は３〜１０ｃｍであることが好ましい。この範囲の幅であれば、一定の幅により形成されてもよいし、異なる幅により形成されていてもよい。なお、異なる幅により形成する場合には、靭帯の弱い内膝に当接する部分の幅を他の部分の幅よりも、特に外膝や膝下の幅よりも広くすることが好ましい。また、膝の周辺に対応する部分に形成される各緊締部の幅に関しては、以下に説明する他の実施例においても同様である。【００５３】  なお、上述した図３に示す緊締部の他に、次に記載する二つの緊締部をさらに形成することとしてもよい。一つ目の緊締部は、図３に示す下腿部前側緊締部２ｅの内膝部分から、ふくらはぎの内側面を通り、下腿部前側緊締部２ｆのふくらはぎ内側面当接箇所の上部にかけて形成されるものである。二つ目の緊締部は、図３に示す下腿部前側緊締部２ｆの外膝部分から、ふくらは��の外側面を通り、下腿部前側緊締部２ｅのふくらはぎ外側面当接箇所の上部にかけて形成されるものである。これら二つの緊締部は、両方とも形成することとしてもよいし、いずれか一方のみを形成することとしてもよい。このような緊締部を形成することによって、膝の内側、外側および下側に当接している緊締部にテンションがかかりやすくなり、膝をサポートする効果が高められる。さらに、これらの緊締部が、ふくらはぎの側面に当接することにより、ふくらはぎをサポートすることができる。また、これら二つの緊締部は、直線に形成する場合が最もテンションがかかり易くなり好適であるが、多少湾曲していてもよい。また、これら二つの緊締部は、当該各緊締部に連結された他の緊締部との間にテンションがかかればよいため、他の緊締部よりも幅細に形成してもよい。【００５４】  図４に示される大腿部後側緊締部２ｃは、大腿部の後側に対応する部分１ｃにおいて、当該部分１ｃの外側の上方から内側の下方にかけて斜めに形成されている。具体的に説明すると、大腿部後側緊締部２ｃの上部は、大転子１１３に対応する部分に位置し、大腿部後側緊締部２ｃの下部は、膝関節の内側に対応する部分に位置する。大腿部後側緊締部２ｃは、その上部と下部との間で、半腱様筋１０５をサポートし得るように形成される。このような大腿部後側緊締部２ｃを設けることにより、半腱様筋１０５の動きがサポートされる。なお、大腿部後側緊締部２ｃの上部は、必ずしも大転子１１３に対応する部分に位置する必要はなく、少なくとも大腿部上部の後側表面上における中心付近を超えていればよい。また、大腿部後側緊締部２ｃの大転子１１３から上の部分は、大転子１１３から腰部の側部に当接し、後中心の上部に向けて形成されるとともに、ヒップの膨らみの上部（腰部上部）に当接し、左右にある大腿部後側緊締部２ｃの端部がウェストライン（腰部上部）の後中心付近で連結して形成される。なお、大腿部後側緊締部２ｃは、腰部の側部において図３に示す大腿部前側緊締部２ｂと連結してもよい。このように大腿部後側緊締部２ｃと大腿部前側緊締部２ｂが腰部の側部で連結することにより、互いにテンションがかかり、大腿部の筋肉へのサポート効果が増すとともに、股関節をサポートすることができる。また、大腿部後側緊締部２ｃまたは大腿部前側緊締部２ｂが、大転子１１３を含めた腰部の側部に当接することにより、股関節をサポートすることができる。さらに、左右の大腿部後側緊締部２ｃが腰部の後中心で連結するか、左右の大腿部前側緊締部２ｂが腹部の前中心で連結することにより、股関節へのサポート効果がさらに増す。左右の大腿部後側緊締部２ｃを腰部の後中心で連結する場合には、連結箇所を腰部上方に設けることが好ましい。【００５５】  図４に示される大腿部後側緊締部２ｄは、大腿部の後側に対応する部分１ｃにおいて、当該部分１ｃの内側の上方から外側の下方にかけて斜めに形成されている。具体的に説明すると、大腿部後側緊締部２ｄの上部は、坐骨結合点付近（臀裂下方部位）に対応する部分に位置し、大腿部後側緊締部２ｄの下部は、膝関節の外側に対応する部分に位置する。大腿部後側緊締部２ｄは、その上部と下部との間で、大腿二頭筋１０６、半膜様���１０７および半腱様筋１０５をサポートし得るように形成される。このような大腿部後側緊締部２ｄを設けることにより、大腿二頭筋１０６、半膜様筋１０７および半腱様筋１０５の動きがサポートされる。また、左右の大腿部にある大腿部後側緊締部２ｄの上端は、坐骨結合点付近で連結されている。これにより、左右にある大腿部後側緊締部２ｄには相互にテンションがかかることになる。なお、大腿部後側緊締部２ｄの上部は、大腿部後側の内側上部（股下）に位置してもよい。また、大腿部後側緊締部２ｄの上部は、臀裂に当接してウェストラインに至ることとしてもよいし、臀裂に当接して腰部上方の後中心で他の緊締部と連結することとしてもよい。これにより、大腿部後側緊締部２ｄには、よりテンションがかかることとなり、筋肉へのサポート効果が向上する。【００５６】  図４に示すように大腿部後側緊締部２ｃおよび大腿部後側緊締部２ｄは、臀裂上方には形成されていないため、腰部の伸びが確保される。したがって、例えば、着用者が前屈動作を行った場合であっても、衣類がその動作に容易に追随することが可能となる。【００５７】  図３および図４に示すように、大腿部前側緊締部２ｂと大腿部後側緊締部２ｃは、それぞれの上部においては大腿外側上方から大転子を含む部分で連結し、それぞれの下部においては大腿内側下方から膝の内側で連結している。この場合は、大腿外側上方である股関節側部、および大腿内側下方である内膝のそれぞれにおいて、大腿部の前後に当接する緊締部が連結している。すなわち、大腿部の内側と外側の両方において大腿部の前後に当接する緊締部が連結している。これによって、膝関節と股関節双方に緊締力をかけることができ、膝関節と股関節双方を安定させ、サポートすることができる。さらに、この膝の内側においては、下腿部前側緊締部２ｅの上部が、上述した大腿部前側緊締部２ｂおよび大腿部後側緊締部２ｃに連結している。また、大腿部後側緊締部２ｄの下部と下腿部前側緊締部２ｅの上部は、膝の外側で連結している。なお、大腿部後側緊締部２ｄと大腿部後側緊締部２ｃは、必ずしも両方形成する必要はなく、いずれか一方の緊締部のみを形成することとしてもよい。また、大腿部後側緊締部２ｄと大腿部後側緊締部２ｃのうちのいずれか一方の緊締部については、両緊締部の交差部分から下側の部分のみを形成することとしてもよい。また、大腿部前側緊締部２ｂと大腿部後側緊締部２ｃのみを形成することとしてもよい。この場合に、大腿部前側緊締部２ｂと大腿部後側緊締部２ｃを、内膝と大転子で連結させることにより、内膝と腰側部を安定させることができる。また、大腿部前側緊締部２ｂと大腿部後側緊締部２ｄのみを形成することとしてもよい。この場合に、後述する膝下緊締部をさらに形成することにより、膝下緊締部および外膝・内膝に当接する部分を大腿の前後で逆方向に引っ張ることができ、膝を安定させることができる。また、大腿部前側緊締部２ｂを、膝のすぐ上の部分に当接しないように形成することで、膝の自由度を確保することができる。【００５８】  このように、大腿部前側緊締部と大腿部後側緊締部とで大腿部を前後からサポートすることによって股関節や膝関節における内旋・外旋運動または内���・外転運動がしやすくなる。また、緊締部の一部で膝を左右および下方からサポートすることによって膝が安定し、膝関節における屈曲・伸展運動がしやすくなる。それゆえ、脚部を使う運動時の筋肉の働きをサポートするのに好適なスポーツ用スパッツを提供することが可能となる。【００５９】  また、大腿部前側緊締部、大腿部後側緊締部および下腿部前側緊締部は、腰、大腿、膝および下腿のいずれかにおいて互いに連結（連続）し、腰部の後中心の上方と下方において左右の大腿部後側緊締部が連結している。これにより、各緊締部が、腰部の後中心（背骨と骨盤の接触する箇所）を支点にしてテンションをかける構造となるため、身体の芯を中心にして下半身にテンションがかかるようになる。したがって、腰、大腿、膝および下腿の筋肉と関節をバランス良くサポートすることができる。【００６０】  なお、図３および図４に示すスポーツ用スパッツ１においては、大腿部の前側に１本の緊締部２ｂを設け、大腿部の後側に２本の緊締部２ｃ，２ｄを設けている。このように大腿部の後側の緊締部を、大腿部の前側の緊締部よりも多く設けることにより、大腿部を前後に動作させる際のサポート効果を向上させることができる。このような効果は、以下に説明する他の実施例においても同様に得られる。【００６１】  次に、図５〜図８を参照して、本実施形態におけるスポーツ用スパッツの緊締部２の変形例について説明する。【００６２】  図５は、スポーツ用スパッツ１の正面図であり、大腿部の前側に対応する部分１ａに形成される大腿部前側緊締部２ａを表したものである。図５に示される大腿部前側緊締部２ａは、大腿部の前側に対応する部分１ａにおいて、当該部分１ａの内側の上方から外側の下方にかけて斜めに形成されている。具体的に説明すると、大腿部前側緊締部２ａの上部は、股下大腿内側（大腿内側上方）に対応する部分に位置し、大腿部前側緊締部２ａの下部は、膝関節の外側に対応する部分に位置する。ここで、大腿部の筋肉を、その上部から下部にかけて斜めに束ねることにより、その間にある筋肉における収縮運動がサポートされる。したがって、大腿部前側緊締部２ａを、大腿部の上部から下部にかけて斜めに形成し、恥骨筋１０３、短内転筋（不図示）、長内転筋１０２および大内転筋１０１をサポートし得るように形成することで、恥骨筋１０３、短内転筋、長内転筋１０２および大内転筋１０１の動きがサポートされることとなる。なお、大腿部前側緊締部２ａの下部は、必ずしも膝関節の外側に対応する部分に位置する必要はなく、少なくとも大腿部の前側における上下方向の中心ラインよりも外側（脇側）、すなわち、大腿外側下部に達していればよい。【００６３】  図６は、スポーツ用スパッツ１の背面図であり、下腿部の後側に対応する部分１ｄに形成される下腿部後側緊締部２ｇを表したものである。図６に示される下腿部後側緊締部２ｇは、下腿部の後側に対応する部分１ｄにおいて、当該部分１ｄの外側の上方から内側の下方にかけて斜めに形成されている。具体的に説明すると、下腿部後側緊締部２ｇの上部は、膝関節の外側あるいは膝関節外側より下方に対応する部分に位置し、下腿部後側緊締部２ｇの下部は、足首の内側に対応する裾部分に位置する。下腿部後側緊締部２ｇは、その上部と下部との間で、腓腹筋１１１、後脛骨筋（不図示）およびヒラメ筋１１２をサポートし得るように形成される。このような下腿部後側緊締部２ｇを設けることにより、腓腹筋１１１、後脛骨筋およびヒラメ筋１１２の動きがサポートされる。なお、下腿部後側緊締部２ｇの上部と下部との間に形成される帯状部分は、必ずしも下腿部の後側にのみ形成されている必要はなく、下腿部の前側に対応する部分に、その一部が形成されてもよい。【００６４】  図７は、スポーツ用スパッツ１の背面図であり、下腿部の後側に対応する部分１ｄに形成される下腿部後側緊締部２ｈを表したものである。図７に示される下腿部後側緊締部２ｈは、下腿部の後側に対応する部分１ｄにおいて、当該部分１ｄの内側の上方から外側の下方にかけて斜めに形成されている。具体的に説明すると、下腿部後側緊締部２ｈの上部は、膝関節の内側あるいは膝関節内側より下方に対応する部分に位置し、下腿部後側緊締部２ｈの下部は、足首の外側に対応する裾部分に位置する。下腿部後側緊締部２ｈは、その上部と下部との間で、腓腹筋１１１およびヒラメ筋１１２をサポートし得るように形成される。このような下腿部後側緊締部２ｈを設けることにより、腓腹筋１１１およびヒラメ筋１１２の動きがサポートされる。なお、下腿部後側緊締部２ｈの上部と下部との間に形成される帯状部分は、必ずしも下腿部の後側にのみ形成されている必要はなく、下腿部の前側に対応する部分に、その一部が形成されてもよい。【００６５】  図８は、スポーツ用スパッツの前面図であり、下腿部の前側に対応する部分１ｂに形成される膝下緊締部２ｖを表したものである。図８に示される膝下緊締部２ｖ（実線部分）は、膝関節の内側に対応する部分および膝関節の外側に対応する部分から膝関節の下側に対応する部分にかけて形成され、膝下緊締部２ｖの上辺縁はＶ字状に形成されている。これにより、着用者の膝が、膝の内側、外側および下側からしっかりとサポートされるため、膝の無駄な動きが抑えられ、膝の伸展運動がしやすくなる。また、膝下緊締部２ｖを形成することで膝の屈曲運動が抑えられるため、膝下にある膝皿靭帯を保護することができる。なお、膝下緊締部２ｖの上辺縁の形状は、必ずしもＶ字状に形成されている必要はなく、例えば、Ｕ字状や三日月状に形成されていてもよい。すなわち、膝下緊締部２ｖの上辺縁の形状は、下腿部の下部方向に窪み状に形成されていればよい。また、膝下緊締部２ｖは、２本の緊締部を膝下で交差させることにより形成してもよい。また、図８に示すように膝の上側に対応する部分は、緊締部２よりも緊締力の弱い弱緊締部Ｈにより形成されているため、膝の運動追随性の低下を抑止することができる。なお、スポーツ用スパッツの本体部（緊締部２を除く）および弱緊締部Ｈは、緊締部２よりも緊締力の弱い生地により形成されていればよく、本体部（緊締部２を除く）と弱緊締部Ｈは、全く同じ生地で一体形成されていてもよい。【００６６】  ここで、本実施形態における緊締部２は、上述した各部を以下に記載するように組み合わせても、図３および図４に示すように組み合わせた緊締部２と同様の効果が得られる。【００６７】  まず、大腿部に���応する部分における組み合わせについては、大腿部前側緊締部２ａと大腿部後側緊締部２ｄとを組み合わせてもよい。この組み合わせにより、膝の内転動作および外膝がサポートされる。特に、着地したときに膝が外側にいかないようにサポートする効果がある。また、大腿部前側緊締部２ｂと大腿部後側緊締部２ｃとを組み合わせてもよい。この組み合わせにより、大転子および内膝がサポートされる。大転子をサポートすることにより股関節がサポートされ、股関節の屈曲・伸展動作がしやすくなる。このように組み合わせた大腿部前側緊締部と大腿部後側緊締部は、スパッツ１の前側または後側のいずれか一方から見たときに、上下方向に対してそれぞれの緊締部が同じ方向に傾く関係となる。また、このように組み合わされた緊締部の大腿外側、大腿内側における連結部分の上下幅は、５ｃｍ以上であることが好ましい。さらに、より好ましくは、大腿外側における連結部分の上下幅を５〜１５ｃｍ程度にし、大腿内側における連結部分の上下幅を５〜１０ｃｍ程度にするとよい。これらの幅に関する記載は、他の実施例においても同様とする。なお、この緊締部の組み合わせに、中臀筋（臀部上部の筋肉）をサポートする緊締部を加えると、股関節の外旋動作をサポートすることができる。【００６８】  また、大腿部前側緊締部２ａと大腿部後側緊締部２ｃとを組み合わせてもよい。この組み合わせにより、膝の内転動作および股関節の内転動作がサポートされる。また、大腿部前側緊締部２ｂと大腿部後側緊締部２ｄとを組み合わせてもよい。この組み合わせにより、膝の外転・外旋動作がサポートされる。このように組み合わせた大腿部前側緊締部と大腿部後側緊締部は、スパッツ１の前側または後側のいずれか一方から見たときに、上下方向に対してそれぞれの緊締部が反対の方向に傾く関係となる。【００６９】  このように、大腿部前側緊締部と大腿部後側緊締部とで大腿部を前後からサポートすることによって股関節や膝関節における内旋・外旋運動または内転・外転運動がしやすくなる。また、大腿部前側緊締部の一部と大腿部後側緊締部の一部とで膝を左右からサポートすることによって膝関節における屈曲・伸展運動がしやすくなる。【００７０】  次に、下腿部に対応する部分における組み合わせについては、下腿部前側緊締部２ｅと下腿部後側緊締部２ｈとを組み合わせてもよい。この組み合わせにより、膝の内転動作および内膝がサポートされる。また、下腿部前側緊締部２ｆと下腿部後側緊締部２ｇとを組み合わせてもよい。この組み合わせにより、膝の外転動作および外膝がサポートされる。このように組み合わせた下腿部前側緊締部と下腿部後側緊締部は、スパッツ１の前側または後側のいずれか一方から見たときに、上下方向に対してそれぞれの緊締部が同じ方向に傾く関係となる。【００７１】  また、下腿部前側緊締部２ｅと下腿部後側緊締部２ｇとを組み合わせてもよい。この組み合わせにより、膝の外旋動作および下腿の外旋がサポートされる。これにより、例えば、サッカーのインサイドキック動作等がサポートされる。また、下腿部前側緊締部２ｆと下腿部後側緊締部２ｈとを組み合わせてもよい。この組み合わせにより、膝の外旋動作がサポートされる。このように組み��わせた下腿部前側緊締部と下腿部後側緊締部は、スパッツ１の前側または後側のいずれか一方から見たときに、上下方向に対してそれぞれの緊締部が反対の方向に傾く関係となる。【００７２】  このように、下腿部前側緊締部と下腿部後側緊締部とで下腿部を前後からサポートすることによって膝関節や足首における内旋・外旋運動または内転・外転運動がしやすくなる。また、下腿部前側緊締部の一部と下腿部後側緊締部の一部とで膝を左右からサポートすることによって膝関節における屈曲・伸展運動がしやすくなる。【００７３】  また、上述した大腿部に対応する部分における各組み合わせと、上述した下腿部に対応する部分における各組み合わせとを、それぞれ組み合わせてもよい。この場合の具体例を、図９および図１０を参照して説明する。図９（ａ）は、スポーツ用スパッツを正面から見た図であり、脚部の前側において、大腿部前側緊締部２ａと下腿部前側緊締部２ｆとが組み合わされた状態を示すものである。図９（ｂ）は、スポーツ用スパッツを背面から見た図であり、脚部の後側において、大腿部後側緊締部２ｄと下腿部後側緊締部２ｇとが組み合わされた状態を示すものである。図９（ａ），（ｂ）に示されるスパッツは、大腿部においては、大腿部前側緊締部２ａと大腿部後側緊締部２ｄとが、同じ方向に傾く関係で形成され、下腿部においては、下腿部前側緊締部２ｆと下腿部後側緊締部２ｇとが、同じ方向に傾く関係で形成されている。このように各緊締部を形成することにより、着用者の大腿部および下腿部が前後からしっかりとサポートされることになる。また、各緊締部は、膝の外側に対応する部分で連結されている。したがって、膝の外側に当接する緊締部が各緊締部により４方向に引っ張られるため、着用者の膝の外側がしっかりとサポートされる。なお、この場合において、さらに、膝の内側をサポートし得るように膝の内側に当接する他の緊締部を形成してもよい。これにより、着用者の膝が内側と外側からしっかりとサポートされることになる。また、下腿部前側緊締部２ｆと下腿部後側緊締部２ｇは、下腿内側下方で双方の緊締部を連結させることにより、各緊締部に、よりテンションをかけることができる。また、下腿部前側緊締部２ｆおよび下腿部後側緊締部２ｇの下端は、スパッツの裾に至っていることが好ましい。【００７４】  図１０（ａ）は、スポーツ用スパッツを正面から見た図であり、脚部の前側において、大腿部前側緊締部２ｂと下腿部前側緊締部２ｅとが組み合わされた状態を示すものである。図１０（ｂ）は、スポーツ用スパッツを背面から見た図であり、脚部の後側において、大腿部後側緊締部２ｃと下腿部後側緊締部２ｈとが組み合わされた状態を示すものである。図１０（ａ），（ｂ）に示されるスパッツは、大腿部においては、大腿部前側緊締部２ｂと大腿部後側緊締部２ｃとが、同じ方向に傾く関係で形成され、下腿部においては、下腿部前側緊締部２ｅと下腿部後側緊締部２ｈとが、同じ方向に傾く関係で形成されている。また、大腿部前側緊締部２ｂの上部と大腿部後側緊締部２ｃの上部は、大転子に当接し互いに連結している。このように各緊締部を形成することにより、着用者の大腿部および下腿部が前後からしっかりとサポートさ��ることになる。また、膝の内側に当接する緊締部が各緊締部により４方向に引っ張られるため、着用者の膝の内側がしっかりとサポートされる。なお、この場合において、さらに、膝の外側をサポートし得るように他の緊締部を形成してもよい。これにより、着用者の膝が内側と外側からしっかりとサポートされることになる。また、下腿部前側緊締部２ｅと下腿部後側緊締部２ｈは、下腿外側下方で双方の緊締部を連結させることにより、各緊締部に、よりテンションをかけることができる。また、下腿部前側緊締部２ｅおよび下腿部後側緊締部２ｈの下端は、スパッツの裾に至っていることが好ましい。【００７５】  また、上述した大腿部に対応する部分における各組み合わせと、上述した膝下緊締部２ｖとを、それぞれ組み合わせてもよい。この場合の具体例を、図１１および図１２を参照して説明する。図１１（ａ）は、スポーツ用スパッツを正面から見た図であり、脚部の前側において、大腿部前側緊締部２ａと膝下緊締部２ｖとが組み合わされた状態を示すものである。図１１（ｂ）は、スポーツ用スパッツを背面から見た図であり、脚部の後側において、大腿部後側緊締部２ｄが形成されている状態を示すものである。図１１（ａ），（ｂ）に示されるスパッツは、大腿部においては、大腿部前側緊締部２ａと大腿部後側緊締部２ｄとが、同じ方向に傾く関係で形成されている。また、大腿部前側緊締部２ａの下部、大腿部後側緊締部２ｄの下部および膝下緊締部２ｖの外膝側上部は、外膝の部分で連結されている。このように各緊締部を形成することにより、着用者の大腿部が前後からしっかりとサポートされることになる。また、膝下緊締部２ｖが膝の内側、外側および下側に当接し、かつ大腿部の前後に形成される緊締部により斜め上方に引っ張られるため、着用者の膝が三方向からしっかりとサポートされる。このように、膝上に緊締部が当接していない場合には、膝の自由度が確保され、運動追随性が向上する。これに対して、膝上に緊締部が当接している場合には、膝の安定性は向上するが、運動追随性が劣ることとなる。なお、図１１（ａ），（ｂ）に示されるスパッツに、大腿部後側緊締部２ｃをさらに形成してもよい。この場合には、大腿部後側緊締部２ｃの下部および膝下緊締部２ｖの内膝側上部は、内膝の部分で連結される。これにより、膝下緊締部２ｖの内膝に当接する部分が、大腿部前側緊締部２ｃにより大腿部の外側上方に向けて引っ張られるとともに、膝下緊締部２ｖの外膝に当接する部分が、大腿部前側緊締部２ａおよび大腿部後側緊締部２ｄにより大腿部の内側上方に向けて引っ張られる。すなわち、膝下緊締部２ｖの内膝側当接部と外膝側当接部とが、大腿部前後においてそれぞれ逆方向に引っ張られるため、膝のサポート力がより増大する。また、膝下緊締部２ｖの内膝側上部に連結させて緊締部をさらに形成し、この緊締部の上部を大腿部前側緊締部２ａまたは大腿部後側緊締部２ｄに連結してもよい。また、大腿部前側緊締部２ｂ、大腿部後側緊締部２ｃおよび膝下緊締部２ｖを組み合わせてもよい。この場合には、大腿部前側緊締部２ｂの下部、大腿部後側緊締部２ｃの下部および膝下緊締部２ｖの内膝側上部は、内膝の部分で連結される。なお、膝下緊締部２ｖの下部とスポーツ用スパッツの裾を連結する緊締部をさらに設けることにより、膝下および膝の内外にある緊締部には、よりテンションがかかるようになるため、サポート効果が向上する。また、膝下緊締部２ｖの下部とスポーツ用スパッツの裾を連結する緊締部は、１本でもよいが、膝下緊締部２ｖを左右下方に引っ張るように２本形成することで、よりテンションがかかり易くなる。なお、膝下緊締部２ｖを形成せずに、大腿部前側緊締部２ａと大腿部後側緊締部２ｄのみを形成することとしてもよい。【００７６】  図１２（ａ）は、スポーツ用スパッツを正面から見た図であり、脚部の前側において、大腿部前側緊締部２ａと膝下緊締部２ｖとが組み合わされた状態を示すものである。図１２（ｂ）は、スポーツ用スパッツを背面から見た図であり、脚部の後側において、大腿部後側緊締部２ｃが形成されている状態を示すものである。図１２（ａ），（ｂ）に示されるスパッツは、大腿部においては、大腿部前側緊締部２ａと大腿部後側緊締部２ｃとが、反対の方向に傾く関係で形成されている。また、大腿部前側緊締部２ａの下部および膝下緊締部２ｖの外膝側上部は、外膝の部分で連結されている。また、大腿部後側緊締部２ｃの上部は、大転子に当接している。このように各緊締部を形成することにより、着用者の大腿部が前後からしっかりとサポートされることになる。また、膝下緊締部２ｖが、膝の内側、外側および下側に当接し、かつ大腿部の前後に形成される緊締部により斜め上方に引っ張られるため、着用者の膝が三方向からしっかりとサポートされる。このように、膝上に緊締部が当接していない場合には、膝の自由度が確保され、運動追随性が向上する。これに対して、膝上に緊締部が当接している場合には、膝の安定性は向上するが、運動追随性が劣ることとなる。なお、図１２（ａ），（ｂ）に示されるスパッツに、大腿部後側緊締部２ｃをさらに形成してもよい。この場合には、大腿部後側緊締部２ｃの下部および膝下緊締部２ｖの内膝側上部は、内膝の部分で連結される。また、膝下緊締部２ｖの内膝側上部に連結させて緊締部をさらに形成し、この緊締部の上部を大腿部前側緊締部２ａまたは大腿部後側緊締部２ｃに連結してもよい。また、大腿部前側緊締部２ｂ、大腿部前側緊締部２ｄおよび膝下緊締部２ｖを組み合わせてもよい。この場合には、大腿部前側緊締部２ｂの下部および膝下緊締部２ｖの内膝側上部は、内膝の部分で連結され、大腿部前側緊締部２ｄの下部および膝下緊締部２ｖの外膝側上部は、外膝の部分で連結される。なお、膝下緊締部２ｖの下部とスポーツ用スパッツの裾を連結する緊締部をさらに設けることにより、膝下および膝の内外にある緊締部には、よりテンションがかかるようになるため、サポート効果が向上する。また、膝下緊締部２ｖの下部とスポーツ用スパッツの裾を連結する緊締部は、１本でもよいが、膝下緊締部２ｖを左右下方に引っ張るように２本形成することで、よりテンションがかかり易くなる。なお、膝下緊締部２ｖを形成せずに、大腿部前側緊締部２ａと大腿部後側緊締部２ｃのみを形成することとしてもよい。【００７７】  次に、図１３〜図１６に示すスポーツ用スパッツの正面図を参照して、大腿部の前側における緊締部の変形例に��いて説明する。図１３は、大腿部の前側において、大腿部前側緊締部２ｂと大腿部前側緊締部２ａｕ（大腿上部緊締部）とが組み合わされた状態を示すものである。大腿部前側緊締部２ｂは、上述したように大腿部前面の上方から下方にかけて斜めに形成されている。大腿部前側緊締部２ａｕは、大腿部の内側の上方から大腿部前側緊締部２ｂの途中にある両緊締部２ｂ，２ａｕの連結部分にかけて形成されている。このような大腿部前側緊締部２ａｕを設けることにより、大腿部の前側の上方から下方にかけて斜めに形成されている大腿部前側緊締部２ｂにテンションをかけることができるため、大腿部前側緊締部２ｂによるサポート効果を向上させることができる。なお、大腿部前側緊締部２ａｕの幅は、大腿部前側緊締部２ｂの幅よりも細くすることができる。具体的には、２〜４ｃｍ程度であってもよい。【００７８】  図１４は、大腿部の前側において、大腿部前側緊締部２ｂと大腿部前側緊締部２ａｗ（大腿下部緊締部）とが組み合わされた状態を示すものである。大腿部前側緊締部２ａｗは、大腿部の外側の下方から大腿部前側緊締部２ｂの途中にある両緊締部２ｂ，２ａｗの連結部分にかけて形成されている。また、大腿部前側緊締部２ａｗの下方部は、膝部の外側に形成される下腿部前側緊締部２ｆの上方部と連結している。このような大腿部前側緊締部２ａｗを設けることにより、大腿部の前側の上方から下方にかけて斜めに形成されている大腿部前側緊締部２ｂにテンションをかけることができるため、大腿部前側緊締部２ｂによるサポート効果を向上させることができる。また、膝部の外側に形成される下腿部前側緊締部２ｆにもテンションをかけることができるため、膝のサポート効果を向上させることができる。なお、大腿部前側緊締部２ａｗの幅は、大腿部前側緊締部２ｂおよび下腿部前側緊締部２ｆの幅よりも細くすることができる。具体的には、２〜４ｃｍ程度であってもよい。また、大腿部前側緊締部２ｂが、大腿前面において大腿部の下部方向に窪み状に湾曲する曲線状であり、大腿部前側緊締部２ａｗが、膝関節のすぐ上の箇所において大腿部前側緊締部２ｂと連結する場合には、この大腿部前側緊締部２ｂと大腿部前側緊締部２ａｗとにより、膝上緊締部が形成される。すなわち、膝上緊締部は、膝関節の内側に対応する部分および膝関節の外側に対応する部分から膝関節の上側に対応する部分にかけて形成される。膝上緊締部の下辺縁は逆Ｖ字状に形成されている。なお、膝上緊締部の下辺縁の形状は、必ずしも逆Ｖ字状に形成されている必要はなく、例えば、逆Ｕ字状や三日月状に形成されていてもよい。すなわち、膝上緊締部の下辺縁の形状は、大腿部の上部方向に窪み状に形成されていればよい。このような膝上緊締部を形成することにより、膝の安定性を向上させることができる。【００７９】  図１５は、大腿部の前側において、大腿部前側緊締部２ａと大腿部前側緊締部２ｂｕ（大腿上部緊締部）とが組み合わされた状態を示すものである。大腿部前側緊締部２ａは、上述したように大腿部前面の上方から下方にかけて斜めに形成されている。大腿部前側緊締部２ｂｕは、大腿部の外側の上方から大腿部前側緊締部２ａの途中にある両緊締部２ａ，２ｂｕの連結部分にかけ���形成されている。このような大腿部前側緊締部２ｂｗを設けることにより、大腿部の前側の上方から下方にかけて斜めに形成されている大腿部前側緊締部２ａにテンションをかけることができるため、大腿部前側緊締部２ａによるサポート効果を向上させることができる。なお、大腿部前側緊締部２ｂｕの幅は、大腿部前側緊締部２ａの幅よりも細くすることができる。具体的には、２〜４ｃｍ程度であってもよい。【００８０】  図１６は、大腿部の前側において、大腿部前側緊締部２ａと大腿部前側緊締部２ｂｗ（大腿下部緊締部）とが組み合わされた状態を示すものである。大腿部前側緊締部２ｂｗは、大腿部の内側の下方から大腿部前側緊締部２ａの途中にある両緊締部２ａ，２ｂｗの連結部分にかけて形成されている。また、大腿部前側緊締部２ｂｗの下方部は、膝部の内側に形成される下腿部前側緊締部２ｅの上方部と連結している。このような大腿部前側緊締部２ｂｗを設けることにより、大腿部の前側の上方から下方にかけて斜めに形成されている大腿部前側緊締部２ａにテンションをかけることができるため、大腿部前側緊締部２ａによるサポート効果を向上させることができる。また、膝部の外側に形成される下腿部前側緊締部２ｅにもテンションをかけることができるため、膝のサポート効果を向上させることができる。なお、大腿部前側緊締部２ｂｗの幅は、大腿部前側緊締部２ａおよび下腿部前側緊締部２ｅの幅よりも細くすることができる。具体的には、２〜４ｃｍ程度であってもよい。また、大腿部前側緊締部２ａが、大腿前面において大腿部の下部方向に窪み状に湾曲する曲線状であり、大腿部前側緊締部２ｂｗが、膝関節のすぐ上の箇所において大腿部前側緊締部２ａと連結する場合には、この大腿部前側緊締部２ａと大腿部前側緊締部２ｂｗとにより、膝上緊締部が形成される。すなわち、膝上緊締部は、膝関節の内側に対応する部分および膝関節の外側に対応する部分から膝関節の上側に対応する部分にかけて形成される。膝上緊締部の下辺縁は逆Ｖ字状に形成されている。なお、膝上緊締部の下辺縁の形状は、必ずしも逆Ｖ字状に形成されている必要はなく、例えば、逆Ｕ字状や三日月状に形成されていてもよい。すなわち、膝上緊締部の下辺縁の形状は、大腿部の上部方向に窪み状に形成されていればよい。【００８１】  図１３〜図１６に示すように、大腿部の前側には、大腿部前面の上方から下方にかけて斜めに形成されている大腿部前側緊締部と交差可能な傾きを有し、大腿部の側部上方または側部下方から当該大腿部前側緊締部の途中にかけて形成される緊締部２ａｕ，２ａｗ，２ｂｕ，２ｂｗを設けることが好ましい。また、これらの緊締部２ａｕ，２ａｗ，２ｂｕ，２ｂｗは、膝部の外側または内側に形成される下腿部前側緊締部の上方部と連結するのが好ましい。また、上述した大腿部前側緊締部２ａ，２ｂの途中に形成される他の大腿部前側緊締部２ａｕ，２ａｗ，２ｂｕ，２ｂｗとの連結部分は、大腿部における大腿部前側緊締部２ａ，２ｂの長手方向の中央付近に形成されることが好ましい。これにより、各緊締部同士にテンションがよりかりやすくなる。【００８２】  なお、上述した図１３〜図１６に示した緊締部２ａｕ，２ａｗ，２ｂｕ，２ｂｗは、大腿部の���側に設けた場合を例示したものであるが、大腿部の後側にもこれらと同様の緊締部を設けてもよい。すなわち、大腿部後面の上方から下方にかけて斜めに形成されている大腿部後側緊締部と交差可能な傾きを有し、大腿部の側部上方または側部下方から当該大腿部後側緊締部の途中にかけて形成される緊締部を大腿部の後側に設けてもよい。さらに、この緊締部は、膝部の外側または内側に形成される下腿部後側緊締部の上方部と連結させてもよい。【００８３】  また、図１４および図１６に示す膝上緊締部は、下腿部前側緊締部２ｅおよび下腿部後側緊締部２ｇと組み合わせて形成してもよい。この場合に、膝上緊締部は、膝の内側または外側に当接する部分において、下腿部前側緊締部２ｅまたは下腿部後側緊締部２ｇと連結する。また、下腿部前側緊締部２ｅと下腿部後側緊締部２ｇは、下腿部において下腿の前側あるいは後側のいずれか一方から見て、上下方向に対してそれぞれが反対の方向に傾くように形成される。すなわち、下腿部前側緊締部２ｅは内膝から下腿前側に当接し、下腿下方の外踝にかけて形成される。一方、下腿部後側緊締部２ｇは外膝から下腿後側に当接し、下腿下方の内踝にかけて形成される。さらに、図１４および図１６に示す膝上緊締部は、下腿部前側緊締部２ｆおよび下腿部後側緊締部２ｈと組み合わせて形成してもよい。この場合に、膝上緊締部は、膝の内側または外側に当接する部分において、下腿部前側緊締部２ｆまたは下腿部後側緊締部２ｈと連結する。また、下腿部前側緊締部２ｆと下腿部後側緊締部２ｈは、下腿部において下腿の前側あるいは後側のいずれか一方から見て、上下方向に対してそれぞれが反対の方向に傾くように形成される。すなわち、下腿部前側緊締部２ｆは外膝から下腿前側に当接し、下腿下方の内踝にかけて形成される。一方、下腿部後側緊締部２ｈは内膝から下腿後側に当接し、下腿下方の外踝にかけて形成される。このように、下腿部の前後において強緊締部を互いに反対に傾くように形成して膝上緊締部と連結させることにより、膝上と膝の内側と膝の外側の３方に当接する各緊締部にテンションがかかるようになり、膝をサポートすることができる。なお、この場合、膝下に緊締部を設けない場合には、膝の自由度を確保することができる。これに対して、膝下に緊締部を設けた場合には、膝の安定性を向上させることができる。【００８４】  また、図１４および図１６に示す膝上緊締部と、図８に示す膝下緊締部２ｖとを組み合わせてもよい。これにより膝の周辺がしっかりとサポートされる。この場合に、膝上緊締部の上部から大腿部の内側と外側のうち少なくともいずれか一方に対応する部分にかけて緊締部を形成し、かつ、膝下緊締部の下部から足首の内側と外側のうち少なくともいずれか一方に対応する部分にかけて緊締部を形成することが好ましい。なお、この緊締部は、膝上緊締部の上部から大腿部の内側および外側の上方まで形成され、膝下緊締部の下部から足首の内側および外側の下方（足首丈の場合には裾）まで形成されることが、より好ましい。これらの緊締部により、大腿部前側緊締部と下退部前側緊締部が形成される。一方、大腿部の後側に形成される大腿部後側緊締部は、スパッツ１の前側または後側のいずれか一方から見たときに、大腿部前側緊締部と反対の方向に傾けて形成されることが好ましい。また、下腿部の後側に形成される下腿部後側緊締部は、スパッツ１の前側または後側のいずれか一方から見たときに、下腿部前側緊締部と反対の方向に傾けて形成されることが好ましい。このように前後の緊締部を反対の方向に傾けて形成することにより、大腿、膝、ふくらはぎが、よりバランス良くサポートされる。【００８５】  以上のように、大腿部前側緊締部と大腿部後側緊締部とで大腿部を前後からサポートするとともに、下腿部前側緊締部と下腿部後側緊締部とで下腿部を前後からサポートすることによって股関節、膝関節および足首における内旋・外旋運動または内転・外転運動がさらにしやすくなる。また、各緊締部の一部により膝が左右からサポートされるため膝関節における屈曲・伸展運動もしやすくなる。【００８６】  また、大腿部の前側と下腿部の前側、または大腿部の後側と下腿部の後側のそれぞれにおける各緊締部の傾きの関係は、大腿部における緊締部の傾きと下腿部における緊締部の傾きとが、それぞれ反対方向になるようにすることがより好ましい。これにより、大腿およびふくらはぎを含めた足全体において、内旋・外旋運動および内転・外転運動に必要な筋肉をよりバランスよくサポートすることができる。【００８７】  また、大腿部と下腿部に形成される緊締部は、大腿部または下腿部のいずれか一方に形成される緊締部が、前後から挟み込む状態で形成されていればよい。この場合に、他方に形成される緊締部は、大腿部または下腿部を左右から挟み込む状態で形成されていてもよい。具体的に説明すると、例えば、大腿部では、緊締部が前後から挟み込む状態で形成され、膝の内側および外側に当接し、下腿部では、緊締部が左右から挟み込む状態で形成され、裾に至るように形成されていればよい。また、大腿部では、緊締部が左右から挟み込む状態で形成され、膝の内側および外側に当接し、下腿部では、緊締部が前後から挟み込む状態で形成され、裾に至るように形成されていてもよい。このように緊締部を形成することで、大腿部または下腿部が前後からしっかりとサポートされ、さらに膝が左右からしっかりとサポートされるため、内旋・外旋運動、内転・外転運動および屈曲・伸展運動における各動作に必要な筋肉をバランスよくサポートすることができる。【００８８】  また、大腿部前側緊締部と大腿部後側緊締部とで大腿部を前後からサポートする場合には、上述した下腿部前側緊締部か下腿部後側緊締部のいずれか一方を少なくとも有していればよい。【００８９】  また、大腿部前側緊締部と大腿部後側緊締部とで大腿部を前後からサポートする場合には、大腿部の前側または後側に対応する部分において、大腿の前側または後側のいずれか一方から見て大腿部前側緊締部と大腿部後側緊締部のそれぞれがほぼ同位置になるように形成してもよいし、大腿部前側緊締部と大腿部後側緊締部が上下方向にずれるように形成してもよい。ここで、上下方向にずらして形成する場合について具体的に説明すると、例えば、大腿部前側緊締部を大腿部の前側に対応する部分の上方に形成し、大腿部後側緊締部を大腿部の後側に対応する部分の下方に形成する場合や、大腿部前側緊��部を大腿部の前側に対応する部分の下方に形成し、大腿部後側緊締部を大腿部の後側に対応する部分の上方に形成する場合がある。【００９０】  また、下腿部前側緊締部と下腿部後側緊締部とで下腿部を前後からサポートする場合には、下腿部の前側または後側に対応する部分において、下腿の前側または後側のいずれか一方から見て下腿部前側緊締部と下腿部後側緊締部のそれぞれがほぼ同位置になるように形成してもよいし、下腿部前側緊締部と下腿部後側緊締部が上下方向にずれるように形成してもよい。ここで、上下方向にずらして形成する場合について具体的に説明すると、例えば、下腿部前側緊締部を下腿部の前側に対応する部分の上方に形成し、下腿部後側緊締部を下腿部の後側に対応する部分の下方に形成する場合や、下腿部前側緊締部を下腿部の前側に対応する部分の下方に形成し、下腿部後側緊締部を下腿部の後側に対応する部分の上方に形成する場合がある。【００９１】  なお、本実施形態においては、緊締部２を大腿部分と下腿部分とに分けて説明しているが、これは、説明の便宜のために分けたものであって、緊締部２が大腿部分と下腿部分とに分断されていることを示すものではない。【００９２】  また、上述した実施形態においては、腰部から下腿部までを被覆する足首丈のスポーツ用スパッツに適用した場合について説明しているが、腰部から大腿部までを被覆する膝上丈のスポーツ用スパッツや、腰部から膝下部分までを被覆する膝下丈のスポーツ用スパッツにも本発明を適用することは可能である。また、ウェストから上方に、上半身を被覆する部分を有するスポーツ用スパッツであってもよく、足首から下に足の裏を渡る部分を有するスポーツ用スパッツやタイツであってもよい。さらに、股間部に保護パッドを有するスポーツ用スパッツであってもよい。【００９３】  ここで、膝上丈のスポーツ用スパッツの具体例を、図１７〜図２１を参照して説明する。図１７（ａ）は、膝上丈のスポーツ用スパッツを正面から見た図であり、大腿部の前側に、上述した大腿部前側緊締部２ｂが形成されている状態を示すものである。図１７（ｂ）は、膝上丈のスポーツ用スパッツを背面から見た図であり、大腿部の後側に、上述した大腿部後側緊締部２ｃおよび大腿部後側緊締部２ｄが形成されている状態を示すものである。図１７（ａ），（ｂ）に示されるスパッツは、大腿部においては、大腿部前側緊締部２ｂと大腿部後側緊締部２ｃとが、同じ方向に傾く関係で形成されており、大腿部前側緊締部２ｂと大腿部後側緊締部２ｄとが、反対の方向に傾く関係で形成されている。大腿部前側緊締部２ｂは、大転子１１３を含めた腰部の側部に当接し、腰部の側部に沿って上方向に延びウェストに至る部分に形成されている。大腿部後側緊締部２ｃは、腰部の側部において大腿部前側緊締部２ｂと連結し、さらに、腰部上部にも当接し、左右の大腿部後側緊締部２ｃが腰部上部の後中心で連結している。このように連結することで、大腿部後側緊締部２ｃと大腿部前側緊締部２ｂには互いにテンションがかかり、大腿部の筋肉へのサポート効果が増すとともに、股関節をサポートすることができる。また、左右の大腿部にある大腿部後側緊締部２ｄの上端は、坐骨結合点付近（臀裂下方部位）で連結されている。これにより、左右にある大腿部後側緊締部２ｄには相互にテンションがかかることになる。なお、大腿部後側緊締部２ｄの上部は、大腿部後側の内側上部（股下）に位置してもよい。また、大腿部前側緊締部２ｂの下端、大腿部後側緊締部２ｃの下端が、大腿部の内側の裾部Ｓに位置し、大腿部後側緊締部２ｄの下端が、大腿部の外側の裾部Ｓに位置している。この大腿部前側緊締部２ｂの下端と大腿部後側緊締部２ｃの下端は、大腿部の内側で連結している。この連結箇所の上下幅は、５〜１０ｃｍ程度であることが好ましい。このように各緊締部を形成することにより、着用者の大腿部が前後からしっかりとサポートされることになる。なお、大腿部前側緊締部２ａの下端、大腿部後側緊締部２ｃの下端および大腿部後側緊締部２ｄの下端は、必ずしも全ての下端が、スポーツ用スパッツの裾部Ｓに位置している必要はなく、少なくともいずれか一の下端が裾部Ｓに位置していればよい。また、上述した緊締部２の下端位置に関しては、以下に説明する図１８〜図２１に示す膝上丈のスポーツ用スパッツにおいても同様である。【００９４】  図１８（ａ）は、膝上丈のスポーツ用スパッツを正面から見た図であり、大腿部の前側に上述した大腿部前側緊締部２ｂが形成され、腹部に腹部緊締部２ｘが形成されている状態を示すものである。図１８（ｂ）は、膝上丈のスポーツ用スパッツを背面から見た図であり、大腿部の後側に上述した大腿部後側緊締部２ｃの下方部分である大腿部後側緊締部２ｃｗおよび大腿部後側緊締部２ｄが形成されている状態を示すものである。図１８（ａ）に示す腹部緊締部２ｘは、腰部の側部において大腿部前側緊締部２ｂと連結する。左右にある腹部緊締部２ｘは、腹部中央において互いに連結する。これにより、腰部の両側部に当接する大腿部前側緊締部２ｂを、身体中心方向に引っ張ることができ、股関節を安定させることができる。すなわち、上述した腹部緊締部２ｘを形成することにより、腰部の両側部を内側に引っ張る力をかけることができ、骨盤を安定させることができる。腹部緊締部２ｘは、下腹部よりも上方に当接するように形成するのが好ましい。これにより、股に近い下腹部が圧迫されることを防止することができる。また、腹部緊締部２ｘの素材は、大腿部前側緊締部２ｂよりも緊締力の弱い別の素材であってもよいし、大腿部前側緊締部２ｂと同じ素材であってもよい。腹部緊締部２ｘと大腿部前側緊締部２ｂとを連続させ、同じ素材により構成してもよい。また、腹部緊締部２ｘの幅は、２ｃｍ以上に形成することが好ましいが、より好ましくは５〜１５ｃｍ程度に形成するのがよい。腹部緊締部２ｘの幅は、等幅であってもよいが、腰部の側部側から身体中心に向けて細くなっていてもよいし、腰部の側部側から身体中心に向けて太くなっていてもよい。また、腹部緊締部２ｘは、本体布の内側に縫合してもよいし、外側に縫合してもよい。腹部緊締部２ｘの大腿部前側緊締部２ｂとの連結部分は、本体布に縫合されるが、腹部緊締部２ｘの上縁と下縁は、本体布に縫合されずに浮いた状態であってもよい。また、図１８（ｂ）に示す大腿部後側緊締部２ｃｗは、大腿部後側緊締部２ｄの大腿部後側の中心付近に連結し、大腿部の内側下方にのみ���成される。また、大腿部後側緊備部２ｃｗと、大腿部前側緊締部２ｂは、大腿内側下方で連結されている。【００９５】  図１９（ａ）は、膝上丈のスポーツ用スパッツを正面から見た図であり、大腿部の前側に上述した大腿部前側緊締部２ｂが形成され、腹部に腹部緊締部２ｙが形成されている状態を示すものである。図１９（ｂ）は、膝上丈のスポーツ用スパッツを背面から見た図であり、大腿部の後側に上述した大腿部後側緊締部２ｃの上方部分である大腿部後側緊締部２ｃｕおよび大腿部後側緊締部２ｄが形成されている状態を示すものである。図１９（ａ）に示す腹部緊締部２ｙは、腰部の側部において大腿部前側緊締部２ｂと連結する。腹部緊締部２ｙは、上腹部に当接するように形成される。これにより、腰部の両側部に当接する大腿部前側緊締部２ｂを、身体中心方向に引っ張ることができ、股関節を安定させることができる。すなわち、上述した腹部緊締部２ｘを形成することにより、腰部の両側部を内側に引っ張る力をかけることができ、骨盤を安定させることができる。腹部緊締部２ｙは、大腿部前側緊締部２ｂとの連結部分における幅が最も広く、身体の前中心に向かうにしたがって徐々に幅が狭くなり、身体の前中心を超えたところまで延在する。したがって、左右にある腹部緊締部２ｙは、互いに前中心を超えた部分において重なり合っている。なお、最も広い部分の幅は、１０ｃｍ程度であることが好ましい。また、腹部緊締部２ｙの素材は、大腿部前側緊締部２ｂとは別の素材であってもよいし、大腿部前側緊締部２ｂと同じ素材であってもよい。腹部緊締部２ｙと大腿部前側緊締部２ｂとを連続させ、同じ素材により構成してもよい。また、腹部緊締部２ｙの大腿部前側緊締部２ｂとの連結部分は、本体布に縫合されるが、腹部緊締部２ｘの上縁と下縁のいずれか一方は、本体布に縫合されずに浮いた状態であってもよい。また、図１９（ｂ）に示す大腿部後側緊締部２ｃｕは、大腿部後側緊締部２ｄの大腿部後側の中心付近に連結し、大腿部の外側上方に当接し、大転子付近で大腿部前側緊締部と連結し、腰部上方に形成される。【００９６】  図２０（ａ）は、膝上丈のスポーツ用スパッツを正面から見た図であり、大腿部の前側に上述した大腿部前側緊締部２ｂが形成され、腹部に腹部緊締部２ｚが形成されている状態を示すものである。図２０（ｂ）は、膝上丈のスポーツ用スパッツを背面から見た図であり、大腿部の後側に上述した大腿部後側緊締部２ｃおよび大腿部後側緊締部２ｄの下方部分である大腿部後側緊締部２ｄｗが形成されている状態を示すものである。図２０（ａ）に示す腹部緊締部２ｚは、大腿部前側緊締部２ｂと連続した素材により形成される。なお、腹部緊締部２ｚの素材は、大腿部前側緊締部２ｂとは別の素材であってもよい。腹部緊締部２ｚは、大腿部前側緊締部２ｂと連続する部分における幅が最も広く、身体の前中心に向かうにしたがって徐々に幅が狭くなる。なお、最も広い部分の幅は、１０ｃｍ程度であることが好ましく、最も狭い部分の幅は、５ｃｍ程度であることが好ましい。また、左右にある腹部緊締部２ｚは、身体の前中心において互いに連結する。これにより、腰部の両側部に当接する大腿部前側緊締部２ｂを、身体中心方向に引っ張ることができ、股関節を安定させることができる。すなわち、上述した腹部緊締部２ｘを形成することにより、腰部の両側部を内側に引っ張る力をかけることができ、骨盤を安定させることができる。また、腹部緊締部２ｚの上縁と下縁のいずれか一方は、本体布に縫合されずに浮いた状態であってもよい。また、図２０（ｂ）に示す大腿部後側緊締部２ｄｗは、大腿部後側緊締部２ｃの大腿部後側の中心付近に連結し、大腿部の外側下方にのみ形成される。また、大腿部前側緊締部２ｂと大腿部後側緊締部２ｃは、大腿内側下方、および大腿外側上方の大転子近傍で連結されている。なお、上述した３種類の腹部緊締部２ｘ，２ｙ，２ｚは、上述した他の実施例（足首丈のスポーツ用スパッツ）において説明した種々の緊締部と適宜組み合わせてもよい。【００９７】  なお、上述した図１８（ａ），図１９（ａ），図２０（ａ）に示される腹部緊締部２ｘ，２ｙ，２ｚは、腰部の左右両側部に対応する部分に形成された大腿部前側緊締部２ｂを、連結しているが、腹部緊締部２ｘ，２ｙ，２ｚが連結する緊締部は、大腿部前側緊締部２ｂに限られない。例えば、大腿部後側緊締部であってもよいし、腰部の左右両側部に対応する部分に形成された他の緊締部であってもよい。すなわち、上述した図１８〜図２０に関する説明においては、腹部緊締部２ｘ，２ｙ，２ｚが連結する緊締部として、便宜上、大腿部前側緊縮部２ｂを用いて説明しているが、腹部緊締部２ｘ，２ｙ，２ｚが連結する緊締部は、腰部の左右両側部に対応する部分に形成された腰部緊締部であればよい。このように、腹部緊締部２ｘ，２ｙ，２ｚを、腰部の左右両側部に対応する部分に形成された腰部緊締部と連結することにより、腰部緊締部にテンションをかけることができる。また、このような腹部緊締部と腰部緊締部は、他の実施例において説明した大腿部、膝部および下腿部において形成される種々の緊締部と組み合わせて形成させることができる。【００９８】  図２１（ａ）は、膝上丈のスポーツ用スパッツを正面から見た図であり、大腿部の前側に上述した大腿部前側緊締部２ｂを変形した大腿部前側緊締部２ｂｘが形成されている状態を示すものである。図２１（ｂ）は、膝上丈のスポーツ用スパッツを背面から見た図であり、大腿部の後側に上述した大腿部後側緊締部２ｃおよび大腿部後側緊締部２ｄの上方部分である大腿部後側緊締部２ｄｕが形成されている状態を示すものである。図２１（ａ）に示す大腿部前側緊締部２ｂｘは、上述した大腿部前側緊締部２ｂのラインを、大腿部の前面において上部方向に窪み状に湾曲させて形成したものである。大腿部前側緊締部２ｂｘは、大転子１１３近傍から、大腿部前面の上方を通り、大腿部の内側下方に至る部位に当接するように形成される。すなわち、大腿部前側緊締部２ｂｘは、大腿直筋の筋腹を通らずに、大転子に至ることとなる。したがって、大腿部前側緊締部２ｂｘを直線状に形成した場合に比べ、緊締部が大腿直筋の筋腹を通らない分、大腿直筋が膨らんだときに筋腹を圧迫しないという効果を奏する。大腿部前側緊締部２ｂｘは、大転子１１３近傍から腰部の側部において図２１（ｂ）に示す大腿部後側緊締部２ｃと連結する。大腿部前側緊締部２ｂｘの下方は、大腿部の内側��方において大腿部後側緊締部２ｃの下方と連結する。また、大腿部前側緊締部２ｂｘの幅は、腰部の側部付近に当接する最も広い部分で１０〜１５ｃｍ程度であることが好ましく、大腿部に当接する最も細い部分で４〜５ｃｍ程度であることが好ましい。大腿部前側緊締部２ｂｘの下方と大腿部後側緊締部２ｃの下方との大腿内側における連結部分の上下幅は、８ｃｍ程度であることが好ましい。このような大腿部前側緊締部２ｂｘを形成することにより、大腿前面の筋肉収縮をサポートすることができる。また、図２１（ｂ）に示す大腿部後側緊締部２ｄｕは、大腿部後側緊締部２ｃの大腿部後側の中心付近に連結し、大腿部の内側上方にのみ形成される。【００９９】  なお、上述した膝上丈のスポーツ用スパッツ（図１７〜図２１）に形成される各緊締部の具体例は、足首丈のスポーツ用スパッツおよび膝下丈のスポーツ用スパッツ等にも適用可能である。【０１００】  また、スポーツ用スパッツにおいて、大腿部から上の腰部に形成される緊締部は、以下のように形成されていればよい。例えば、大腿部の外側においては、大転子を含んだ箇所に形成されていればよく、さらに大転子から腰側部に当接し、のウェストにかけてほぼ直線状に連続して形成してもよい。また、大転子から腰の側部および腰の膨らみの上方に当接し、ウェストライン上で終結してもよいし、腰の膨らみの上方から後中心に向けて延ばし、ウェストラインの後中心付近で左右が連結してもよい。また、大転子から腰の膨らみの一部を通り、ウェストラインの後中心付近で左右が連結してもよい。また、大転子から腹部を通り、腹部の中心で左右が連結してもよい。さらに、これらの緊締部を組み合わせて形成してもよい。【０１０１】  また、本発明の股付き衣類における緊締部の付与方法は、上述した実施形態において説明した方法に限られず、例えば、股付き衣類本体に所定形状の伸縮性生地を重ね合わせてそれを縫合させることによって形成してもよいし、股付き衣類本体に所定形状の伸縮性生地を重ね合わせてそれを接着することによって形成してもよい。これらの方法によれば、衣類本体と緊締部との緊締力差を適宜に設定しやすく、また、大きな緊締力差をつけることも可能である。また、緊締部とそれ以外の部分とをそれぞれ所定形状のパーツにして、それらを接ぎ合わせて本発明の股付き衣類を形成してもよい。また、股付き衣類本体に所定形状の伸縮性生地を引き伸ばして重ね合わせて縫合または接着する方法によって緊締部を形成してもよい。なお、股付き衣類本体に伸縮性生地を重ね合わせる場合には、緊締部を形成する伸縮性生地の緊締力が、股付き衣類本体の緊締力よりも強いことが好ましい。これらの方法によれば、緊締部により強力な緊締力を付与することができる。また、股付き衣類本体の所定部分に弾性樹脂含浸または弾性樹脂フィルムの貼り合わせによる方法によって緊締部を形成してもよい。これらの方法によれば、緊締部の厚みが比較的薄いものを得ることができる。弾性樹脂としてはポリウレタン樹脂やポリエステルエラストマー樹脂その他の弾性樹脂が適用可能である。これらの方法によれば、重ね合わせをしなくてもすむので、緊締部の厚みがより薄いものを得ることができる。また、股付き衣類��体を構成する伸縮性生地を経編や丸編のジャカードにより編み組織をかえることにより、緊締力の強弱差を設け、緊締力の強い編み組織によって緊締部を形成してもよい。これらの方法によれば、同様に重ね合わせをしなくてもすむので、緊締部の厚みがより薄いものを得ることができる。また、股付き衣類を形成する生地として丸編地などを用いる場合には、部分的に糸を足すカットボス編手法によって、比較的緊締力の強い緊締部を形成することもできる。丸編みによる場合は、編み組織を変える方法と部分的に糸を足すカットボス編方法とを組み合わせて緊締力の強弱差を設けることもできる。【０１０２】  また、上述した本実施形態においては、股付き衣類の代表例としてスポーツ用スパッツについて説明しているが、本発明は、スポーツ用スパッツ以外にも適用可能である。例えば、ガードル、スポーツ用タイツ、スパッツ型の水着、スポーツウェア、ストッキングおよびタイツ等の股付き衣類にも適用可能である。【０１０３】  本発明に係る股付き衣類によれば、帯状の緊締部により、屈曲・伸展運動、内旋・外旋運動および内転・外転運動に必要な筋肉の動きがサポートされるため、脚部の運動をバランスよくサポートすることができるという、優れた効果が期待できる。
【産業上の利用可能性】
【０１０４】  本発明は、例えば脚部の運動をバランスよくサポートするスポーツ用股付き衣類に適用可能である。
【図１】
2004091328.tif 000003
【図２】
2004091328.tif 000004
【図３】
2004091328.tif 000005
【図４】
2004091328.tif 000006
【図５】
2004091328.tif 000007
【図６】
2004091328.tif 000008
【図７】
2004091328.tif 000009
【図８】
2004091328.tif 000010
2004091328.tif 000011
2004091328.tif 000012
2004091328.tif 000013
2004091328.tif 000014
【図１３】
2004091328.tif 000015
【図１４】
2004091328.tif 000016
【図１５】
2004091328.tif 000017
【図１６】
2004091328.tif 000018
2004091328.tif 000019
2004091328.tif 000020
2004091328.tif 000021
2004091328.tif 000022
2004091328.tif 000023
【国際調査報告】
2004091328.tif 000024
2004091328.tif 000025
2004091328.tif 000026
2004091328.tif 000027